(57)【要約】      （修正有）【課題】着物の着付けの際に利用可能な着物の重ねあわされた生地同士を固定するための着物固定クリップを提供する。【解決手段】１本の線状部材を中空きの渦巻き形状に形成し、線状部材のうち渦巻きの内側となる内側部分０１０２と、渦巻きの外側となる外側部分０１０３との間に、生地０１０４の重ね合わせた部分を挟むことで重ねあわされた生地同士のズレを防止する着物固定クリップ０１０１であって、線状部材の二つの端部は、生地を傷つけないように丸く形成されるとともに、挟むべき生地０１０４の生地端の位置すべき部分近くの線状部材間にできる中空き部分を間にして配置されるとともに、一方の端部と他方の端部との間の距離は両端部がその近辺で理論的に実現可能な最短距離よりも大きな距離を有するように配置される着物固定クリップ０１０１を提案する。【選択図】図１
2013036143.tif 000002
【特許請求の範囲】
【請求項１】
１本の線状部材を中空きの渦巻き形状に形成し、線状部材のうち渦巻きの内側となる内側部分と、渦巻きの外側となる外側部分との間に、生地の重ね合わせた部分を挟むことで重ねあわされた生地同士のズレを防止する着物固定クリップであって、
線状部材の二つの端部は、生地を傷つけないように丸く形成されるとともに、挟むべき生地の生地端の位置すべき部分近くの線状部材間にできる中空き部分を間にして配置されるとともに、一方の端部と他方の端部との間の距離は両端部がその近辺で理論的に実現可能な最短距離よりも大きな距離を有するように配置される着物固定クリップ。
【請求項２】
前記中空きの形状は生地を挿入する方向に生地挿入位置から引かれる線である基準線を基準として略線対称であり、前記両端部は、前記基準線に対して非線対称に配置される請求項１に記載の着物固定クリップ。
【請求項３】
前記生地挿入位置の線状部材のうち、内側の渦巻きを形成する線状部材は、外側の渦巻きを形成する線状部材によってできる平面から持ち上げられている請求項１又は２に記載の着物固定クリップ。
【請求項４】
前記中空きの形状は、生地を挿入する位置を頂点とした略二等辺三角形である請求項１から３のいずれか一に記載の着物固定クリップ。
【請求項５】
前記理論的な最短距離と、実際に一方の端部と他方の端部とがなす距離の差は、１ミリメートル以上である請求項１から４のいずれか一に記載の着物固定クリップ。
【請求項６】
前記丸く形成される線状部材の端部は、線状部材を小さな渦巻き状に巻くことで丸く形成された請求項１から５のいずれか一に記載の着物固定クリップ。
【請求項７】
前記丸く形成される線状部材の端部は、生地の重ねあわされた部分が挟まれる可能性がある上方向又は／及び下方向に凸部を有する請求項１から６のいずれか一に記載の着物固定クリップ。
【請求項８】
請求項１から７のいずれか一に記載の着物固定クリップを準備する準備ステップと、
着物の着付けの際に、着物の衿の左右を合わせて衿がＶ字形となるように成形して着物固定クリップで固定するステップと、
前記固定したのちに伊達締めをしめるステップと、
を含む着物の着付方法。
【発明の詳細な説明】
【技術分野】
【０００１】
本発明は、着物の取り付け時に重ねあわされた生地同士のズレを防止する着物固定クリップ及びこの着物固定クリップを使用した着物の着付方法に関する。
【背景技術】
【０００２】
従前、着物を着付けする際に、衿を整える場合腰ひもを用いて成形し、衿をＶ字の形に整えていた。しかし、通常の歩行や立ち振る舞いを行う都度腰ひもの微動な乱れが襦袢や着物の衿のＶ字形の開口部に影響し、徐々に着崩れてしまう。そこで、本願出願人は、この衿の乱れを抑えるために、これまでの着付けの常識を覆し、腰ひも以外で、衿を整え且つ安定してその形が崩れないようにする為、着物の重ねあわされた生地同士をクリップ留めすることとした。このクリップ留めに用いられる着物固定クリップは、１本の線状部材を中空きの渦巻き形状に形成し、線状部材のうち渦巻きの内側となる内側部分と、渦巻きの外側となる外側部分との間に、生地の重ね合わせた部分を挟むことで重ねあわされた生地同士のズレを防止する機能を有するものである。
【０００３】
一般的に紙を挟んで固定するために用いられているクリップは、線状部材の両端部が特に何ら加工されておらず、切りっぱなしになっている。このような一般的なクリップを着物固定クリップとして利用しようとすると、生地にクリップを脱着する際に、着物の生地を傷めるおそれがあった。この点、特許技術文献１には、端部が球状のクリップが開示されている。このように端部を球状にすることとすれば、着物固定クリップとして使用する場合にも、着物の生地を傷めるおそれが小さくなる。
【先行技術文献】
【特許文献】
【０００４】
【特許文献１】登実第３０４６３５６号
【発明の開示】
【発明が解決しようとする課題】
【０００５】
しかしながら、従前のクリップは本来紙を留める構造上、着物の固定の用途に用いるのに適していない。具体的には、以下のような問題点がある。
【０００６】
まず、紙に比べて柔らかい着物の生地に使用することとなるため、生地にクリップを取り外す際に、生地にしわがよりやすく、このしわにクリップの端部がひっかかって、クリップをスムーズに取り外すことができない場合がある。
【０００７】
次に、着物の衿を重ねあわせてクリップで固定しようとする場合、重ねあわされた生地に厚みがあるため、クリップの取り付けをスムーズに行うことができないおそれがある。
【０００８】
以上の点から、着物の固定の用途に用いるのに適したクリップが必要であった。
【課題を解決するための手段】
【０００９】
上記の課題を解決するため、本願出願人は、以下の着物固定クリップ及び着物の着付方法を提案する。
【００１０】
すなわち、第一の発明として、１本の線状部材を中空きの渦巻き形状に形成し、線状部材のうち渦巻きの内側となる内側部分と、渦巻きの外側となる外側部分との間に、生地の重ね合わせた部分を挟むことで重ねあわされた生地同士のズレを防止する着物固定クリップであって、線状部材の二つの端部は、生地を傷つけないように丸く形成されるとともに、挟むべき生地の生地端の位置すべき部分近くの線状部材間にできる中空き部分を間にして配置されるとともに、一方の端部と他方の端部との間の距離は両端部がその近辺で理論的に実現可能な最短距離よりも大きな距離を有するように配置される着物固定クリップ、を提案する。
【００１１】
第二の発明として、前記中空きの形状は生地を挿入する方向に生地挿入位置から引かれる線である基準線を基準として略線対称であり、前記両端部は、前記基準線に対して非線対称に配置される第一の発明に記載の着物固定クリップを提案する。
【００１２】
第三の発明として、前記生地挿入位置の線状部材のうち、内側の渦巻きを形成する線状部材は、外側の渦巻きを形成する線状部材によってできる平面から持ち上げられている第一の発明又は第二の発明に記載の着物固定クリップ、を提案する。
【００１３】
第四の発明として、前記中空きの形状は、生地を挿入する位置を頂点とした略二等辺三角形である第一の発明から第三の発明のいずれか一に記載の着物固定クリップ、を提案する。
【００１４】
第五の発明として、前記理論的な最短距離と、実際に一方の端部と他方の端部とがなす距離の差は、１ミリメートル以上である第一の発明から第四の発明のいずれか一に記載の着物固定クリップ、を提案する。
【００１５】
第六の発明として、前記丸く形成される線状部材の端部は、線状部材を小さな渦巻き状に巻くことで丸く形成された第一の発明から第五の発明のいずれか一に記載の着物固定クリップ、を提案する。
【００１６】
第七の発明として、前記丸く形成される線状部材の端部は、生地の重ねあわされた部分が挟まれる可能性がある上方向又は／及び下方向に凸部を有する第一の発明から第六の発明のいずれか一に記載の着物固定クリップ。
【００１７】
第八の発明として、第一の発明から第七の発明のいずれか一に記載の着物固定クリップを準備する準備ステップと、着物の着付けの際に、着物の衿の左右を合わせて衿がＶ字形となるように成形して着物固定クリップで固定するステップと、前記固定したのちに伊達締めをしめるステップと、を含む着物の着付方法、を提案する。
【発明の効果】
【００１８】
本件発明により、着物の固定の用途に用いるのに適したクリップが実現できる。
【発明を実施するための形態】
【００１９】
以下、本件発明の実施の形態について、添付図面を用いて説明する。なお、本件発明は、これら実施形態に何ら限定されるべきものではなく、その要旨を逸脱しない範囲において、種々なる態様で実施し得る。なお、実施形態１は、主に請求項１などに関する。実施形態２は、主に請求項２などに関する。実施形態３は、主に請求項３などに関する。実施形態４は、主に請求項４などに関する。実施形態５は、主に請求項５などに関する。実施形態６は、主に請求項６などに関する。実施形態７は、主に請求項７などに関する。実施形態８は、主に請求項８などに関する。
<<実施形態１>>
<実施形態１：概要>
【００２０】
本実施形態の着物固定クリップは、１本の線状部材を中空きの渦巻き形状に形成したクリップであって、線状部材の二つの端部の形状及び両端部の相対的位置に特徴を有する。
<実施形態１：構成>
【００２１】
図１は、本実施形態の着物固定クリップを説明するための概念図である。図１（ａ）に示すように、本実施形態の着物固定クリップ（０１０１）は、１本の線状部材を中空きの渦巻き形状に形成し、線状部材のうち渦巻きの内側となる内側部分（０１０２）と、渦巻きの外側となる外側部分（０１０３）との間に、生地（０１０４）の重ね合わせた部分を挟むことで重ねあわされた生地同士のズレを防止する着物固定クリップである。この着物固定クリップは、図１（ｂ）のように、着物の衿口に取り付けて衿の成形や着崩れ防止に用いることができる。また、着物の衿口のみならず、前身頃や、脇衿、すそ上げなどの成形にも広く用いることができる。
【００２２】
「線状部材」は、クリップを形成する線状の部材である。材質は、一般的な紙を挟むクリップに用いられるスチールなどの金属や、合成樹脂等、特に限定されない。好ましくは、スチールに白色のビニルコーティング、塗装などを行うことである。これにより、クリップが、取り付け時に着物の色合いに馴染まず、違和感を生じるおそれを少なくできる。すなわち、従来の一般的なクリップはスチール製である場合が多いが、この場合は、金属の光沢（シルバー色）のために、クリップが、取り付け時に着物の色合いに馴染まず、違和感を生じるおそれがあった。そこで、スチールに白色のビニルコーティング、塗装などを行うことで、着物の色合いに対して違和感を生じにくい。
【００２３】
特に好ましくは、繊維強化プラスチック製として、透明透過色とすることである。繊維強化プラスチック製とすることにより、着物の生地を固定するための強度を確保しつつ、透明透過色とすることにより、取り付け後衿の色を透過するので、クリップが目立たず違和感を生じることがない。
【００２４】
本実施形態の着物固定クリップの形状について図２を用いて説明する。図２は、本実施形態の着物固定クリップの一例を示している。（ａ）は略二等辺三角形状のものの一例であり、（ｂ）は紙を挟むクリップにおいて最も一般的な楕円に近い形状のものの一例である。本実施形態の着物固定クリップ（０２０１）は、「中空きの渦巻き形状」に形成される。「中空きの渦巻き形状」は、中央部分に空間のある渦巻き形状である。線状部材を２回弱程度巻くことによって形成すれば良い。なお、図２において図示した形状以外に、矩形状、五角形状、円形状等種々の形状とし得る。「内側部分」は、線状部材のうち渦巻きの内側となる部分であり、図２（ａ）（ｂ）では０２０２で示された部分である。また、「外側部分」は、線状部材のうち渦巻きの内側となる部分であり、図２（ａ）（ｂ）では０２０３で示された部分である。
【００２５】
線状部材の二つの端部の形状について説明する。本実施形態の着物固定クリップにおいて、線状部材の二つの端部（０２０４、０２０４）は、生地を傷つけないように丸く形成される。「丸く」とは、球形状、渦巻き状、Ｒをつけた曲面状など、線状部材がクリップの脱着時（特に取り外し時）に生地を傷つけないように丸みを帯びた形状をさす。図３は、本実施形態の着物固定クリップの線状部材の二つの端部の形状の一例を示す図であり、図３（ａ）には、球形状の例が示されている。なお、この「球形状」の端部の構成は、図３（ｂ）のように、球形状の金属や樹脂などからできた別部材と、線状部材とをねじ止めする等の方法により実現することもできる。あるいは、図３（ｃ）のように、線状部材とつなぎ目なく一体に形作ることによって実現することもできる。また、図３（ｄ）は、渦巻状の端部の例であり、図３（ｅ）は、Ｒをつけた曲面状に丸く構成された端部の例である。
【００２６】
線状部材の二つの端部の位置関係について図４を用いて説明する。（ａ）及び（ｃ）は、本実施形態の着物固定クリップ（０４０１）を、（ｂ）は、本実施形態の着物固定クリップと比較対照するための着物固定クリップ（０４１１）を示している。本実施形態の着物固定クリップにおいて、線状部材の二つの端部（後述する０４０２ａ、０４０２ｂの双方を含む。）は、挟むべき生地の生地端の位置すべき部分近くの線状部材間にできる中空き部分を間にして配置されるとともに、一方の端部と他方の端部との間の距離は両端部がその近辺で理論的に実現可能な最短距離よりも大きな距離を有するように配置される。「線状部材の二つの端部」のうち内側部分の端部を「内側端部」（０４０２ａ）、外側部分の端部を「外側端部」（０４０２ｂ）と呼ぶ。本実施形態の着物固定クリップにおいて、線状部材の二つの端部は、図４（ａ）のように、内側端部（０４０２ａ）が挟むべき生地の生地端の位置すべき部分から遠く、外側端部（０４０２ｂ）が挟むべき生地の生地端の位置にすべき部分から近くに配置されていてもよい。逆に図４（ｃ）のように、内側端部（０４０２ａ）が挟むべき生地の生地端の位置すべき部分から近く、外側端部（０４０２ｂ）が挟むべき生地の生地端の位置にすべき部分から遠くに配置されていてもよい。
【００２７】
図４（ａ）を用いて、さらに詳しく本実施形態の着物固定クリップの構成について説明する。「挟むべき生地の生地端の位置すべき部分」は、クリップ取り付け時に生地の生地端が位置すべき部分であり、図４（ａ）において０４０３の点線で囲まれた部分である。「挟むべき生地の生地端の位置すべき部分近くの線状部材間にできる中空き部分」は、挟むべき生地の生地端の位置すべき部分近くの線状部材の間にできる中空き部分であり、図４（ａ´）において０４０４の点線で囲まれた部分である。「一方の端部と他方の端部との間の距離」は、両端部間の距離（α）をいう。また、本実施形態の着物固定クリップと比較対照するための着物固定クリップを図示した図４（ｂ）（ｂ´）についても、同様に、着物固定クリップ（０４１１）、線状部材の二つの端部（０４１２、０４１２）、挟むべき生地の生地端の位置すべき部分（０４１３の点線で囲まれた部分）、挟むべき生地の生地端の位置すべき部分近くの線状部材間にできる中空き部分（０４１４の点線で囲まれた部分）、両端部間の距離（β）が示されている。
【００２８】
「両端部がその近辺で理論的に実現可能な最短距離」とは、一方の端部をある位置とした場合に、他方の端部が、前述の条件を満たした上で配置可能な理論的に実現可能な最短距離をいう。「その近辺」は、挟むべき生地の生地端の位置すべき部分近辺を指す。図４（ａ）と図４（ｂ）とを比較すると、図４（ｂ）では、両端部がほぼ理論的に実現可能な最短距離となるように配置されているのに対し、図４（ａ）では、両端部が、理論的に実現可能な最短距離よりも大きな距離を有するように配置されている。すなわち、α>βとなるような配置となっている。
【００２９】
両端部を、理論的に実現可能な最短距離よりも大きな距離を有するように配置することの効果について、図５を用いて説明する。（ａ）は、本実施形態の着物固定クリップを、（ｂ）及び（ｃ）は、本実施形態の着物固定クリップと比較対照するための着物固定クリップを示している。図５（ａ）には、本実施形態の着物固定クリップ（０５０１）の両端部（内側端部０５０２ａ、外側端部０５０２ｂ）だけでなく、クリップによって挟まれる生地（０５０３）も図示されている。また、０５０４で示した矢印は、クリップを生地から抜き取る際の取り外しの方向を示している。同様に、図５（ｂ）及び（ｃ）には、比較対象のための着物固定クリップ（０５１１）の両端部（０５１２、０５１２）だけでなく、クリップによって挟まれる生地（０５１３）も図示されている。また、０５１４で示した矢印は、クリップを生地から抜き取る際の取り外しの方向を示している。図５（ｂ）と（ｃ）とに示された着物固定クリップは、いずれも「両端部がその近辺で理論的に実現可能な最短距離」となるように配置されている。異なる点は、図５（ｂ）においては、両端部が挟むべき生地の生地端の位置すべき部分から相対的に遠くに配置され、図５（ｃ）においては、両端部が挟むべき生地の生地端の位置にすべき部分から近くに配置されている点にある。
【００３０】
まず、図５（ｂ）を参照する。クリップの取り外し時、０５１４の矢印方向にクリップが移動すると、クリップの両端部付近で生地にしわが生じやすい。このしわに、クリップの両端部がひっかかると、取り外しが困難となる。特に、両端部の双方に生じたしわがつながって１本のしわとなる場合、一度に両方の端部をしわから抜き取らなければならず、取り外しが特に困難となる。図５（ｂ）では、線状部材の両端部がほぼ理論的に実現可能な最短距離となるように配置されているために、両端部に生じたしわがつながって１本になりやすい。これに対し、図５（ａ）に示した本実施形態の着物固定クリップのように、両端部が、理論的に実現可能な最短距離よりも大きな距離を有するように配置されることにより、両端部に生じたしわがつながりにくく、取り外しが容易である。また、図５（ａ）に示した本実施形態の着物固定クリップでは一方の端部（この図では、０５０２ｂで示された外側端部）が挟むべき生地の生地端の位置にすべき部分から近くに配置されているために、クリップの取り外し時にすぐに生地から離脱するので抵抗が生じにくく、他方の端部（この図では、０５０２ａで示された内側端部）に生じたしわの抵抗に抗して抜き取る力のみで足りるので取り外しが容易である。
【００３１】
次に、図５（ｃ）を参照する。クリップの取り外し時、０５１４の矢印方向にクリップが移動すると、両端部が挟むべき生地の生地端の位置にすべき部分から近くに配置されているために、両端部がすぐに生地から離脱するので抵抗が生じにくい。しかしながら、両端部が同時に生地の端部から離脱するために、重ねあわされた生地を押さえる力が弱くなる。したがって、着物着用時のわずかな動作によってクリップの位置がずれると、両端部が同時に生地の端部から離脱して、生地をしっかりと挟むことができなくなるおそれがある。そこで、図５（ａ）に示したように、一方の端部（この図では、０５０２ｂで示された側の端部）は挟むべき生地の生地端の位置にすべき部分から近くに配置されているために、クリップの取り外し時にすぐに生地から離脱するようにし、他方の端部（この図では、０５０２ａで示された側の端部）は挟むべき生地の生地端の位置にすべき部分から遠くに配置されているために、クリップが多少動いても生地端からクリップが離脱せず生地を挟みこむ力が大幅に低下しないようにすると良い。すなわち、両端部を、理論的に実現可能な最短距離よりも大きな距離を有するように配置することにより、挟むべき生地の生地端との相対的位置関係が適切となる。
<実施形態１：効果>
【００３２】
本実施形態の着物固定クリップにより、脱着時に生地を傷つけにくく、かつ、取り外しが容易な、着物の固定の用途に適した着物固定クリップが実現できる。
<<実施形態２>>
<実施形態２：概要>
【００３３】
本実施形態の着物固定クリップは、実施形態１を基本としつつ、前記中空きの形状は生地を挿入する方向に生地挿入位置から引かれる線である基準線を基準として略線対称であり、前記両端部は、前記基準線に対して非線対称に配置される着物固定クリップである。
<実施形態２：構成>
【００３４】
本実施形態の着物固定クリップは、１本の線状部材を中空きの渦巻き形状に形成した着物固定クリップであって、内側部分と、外側部分とを有する。以下、本実施形態において述べる点を除き、実施形態１において説明したところと同様である。
【００３５】
本実施形態の着物固定クリップについて、図６を用いて説明する。図６は、本実施形態の着物固定クリップの一例を示す図である。本実施形態の着物固定クリップにおいて、前記中空きの形状は生地を挿入する方向に生地挿入位置から引かれる線である基準線を基準として略線対称である。「中空きの形状」は、１本の線状部材を中空きの渦巻き形状に形成した着物固定クリップ（０６０１）全体の形状をいう。「生地挿入位置」は、着物固定クリップを生地に取り付ける際に、生地を挿入しはじめる位置をいう。図６において、０６０２の矢印で指し示した位置である。「基準線」は、生地を挿入する方向に生地挿入位置から引かれる線であり、図６において０６０３で示した点線である。本実施形態の着物固定クリップはこの基準線を基準として略線対称である。
【００３６】
また、本実施形態の着物固定クリップにおいて、前記両端部は、前記基準線に対して非線対称に配置される。「両端部」は、着物固定クリップを形成する線状部材の二つの端部（０６０４、０６０４）である。着物固定クリップの両端部を基準線に対して非線対称に配置することにより、「一方の端部と他方の端部との間の距離は両端部がその近辺で理論的に実現可能な最短距離よりも大きな距離を有するように配置される」との構成を実現できる。
<実施形態２：効果>
【００３７】
本実施形態の着物固定クリップにより、脱着時に生地を傷つけにくく、かつ、取り外しが容易な、着物の固定の用途に適した着物固定クリップが実現できる。
<<実施形態３>>
<実施形態３：概要>
【００３８】
実施形態１又は２の着物固定クリップにおいて、内側の渦巻きを形成する線状部材と、外側の渦巻きを形成する線状部材とが同一平面上に形成されている場合、着物固定クリップ取り付け時に、生地挿入位置から生地を挿入しようとする際、挿入しにくくなるおそれがある。特に、生地が厚い場合には、挿入が難しい。そこで、本実施形態の着物固定クリップは、実施形態１または２を基本としつつ、取り付け時の生地の挿入が容易となるように、前記生地挿入位置の線状部材のうち、内側の渦巻きを形成する線状部材は、外側の渦巻きを形成する線状部材によってできる平面から持ち上げられている点に特徴を有する。
<実施形態３：構成>
【００３９】
本実施形態の着物固定クリップは、１本の線状部材を中空きの渦巻き形状に形成した着物固定クリップであって、内側部分と、外側部分とを有する。以下、本実施形態において述べる点を除き、実施形態１又は２において説明したところと同様である。
【００４０】
本実施形態の着物固定クリップについて、図７を用いて説明する。図７は、本実施形態の着物固定クリップの一例を示す図である。（ａ）は斜視図、（ｂ）は平面図、（ｃ）はＡ方向から見た場合の側面図である。この図には、着物固定クリップ（０７０１）、生地挿入位置（０７０２の矢印で指し示した位置）が示されている。また、「外側の渦巻きを形成する線状部材によってできる平面」は、外側の渦巻きを形成する線状部材によってできる仮想平面をいい、図７（ａ）において、０７０３で示した平面をいう。本実施形態の着物固定クリップでは、「生地挿入位置の線状部材のうち、内側の渦巻きを形成する線状部材」（０７０４）は、外側の渦巻きを形成する線状部材によってできる平面（０７０３）から持ち上げられている。「平面から持ち上げられている」とは、この平面上に生地挿入位置の線状部材のうち内側の渦巻きを形成する線状部材が位置していない状態となるように形成されていることをいう。
<実施形態３：効果>
【００４１】
本実施形態の着物固定クリップにより、取り付け時のクリップへの生地の挿入が容易となる。このため、厚みのある衿生地等への取り付けがスムーズに行えて生地の撓みを生じるおそれが小さく、衿等の成形をスムーズに行うことができる。すなわち、本実施形態の着物固定クリップにより、着物の固定の用途に適した着物固定クリップが実現できる。
<<実施形態４>>
<実施形態４：概要>
【００４２】
本実施形態の着物固定クリップは、実施形態１から３のいずれか一を基本としつつ、さらに、前記中空きの形状は、生地を挿入する位置を頂点とした略二等辺三角形である着物固定クリップである。
<実施形態４：構成>
【００４３】
本実施形態の着物固定クリップは、１本の線状部材を中空きの渦巻き形状に形成した着物固定クリップであって、内側部分と、外側部分とを有する。以下、本実施形態において述べる点を除き、実施形態１から３において説明したところと同様である。
【００４４】
本実施形態の着物固定クリップについて、再び図６を用いて説明する。「中空きの形状」は、１本の線状部材を中空きの渦巻き形状に形成した着物固定クリップ（０６０１）全体の形状をいう。「生地を挿入する位置」は、着物固定クリップを生地に取り付ける際に、生地を挿入しはじめる位置（生地挿入位置、０６０２の矢印で指し示した位置）である。本実施形態の着物クリップにおいて、前記中空きの形状は、生地を挿入する位置を頂点とした略二等辺三角形である。
【００４５】
略二等辺三角形とすることの効果は、以下の点にある。まず、生地を挟んだ場合に生地端とかさなる部分が略直線で構成されており、生地端に沿う形状となるので、取り付け時にクリップが目立ちにくい。また、生地挿入位置付近は細く、生地端側が太いために、挿入するにつれて徐々に広い範囲を挟むことができ、取り付けをスムーズに行うことができる。
<実施形態４：効果>
【００４６】
本実施形態の着物固定クリップにより、脱着時に生地を傷つけにくく、かつ、脱着が容易な、着物の固定の用途に適した着物固定クリップが実現できる。
<<実施形態５>>
<実施形態５：概要>
【００４７】
本実施形態の着物固定クリップは、実施形態１から４のいずれか一を基本としつつ、さらに、前記理論的な最短距離と、実際に一方の端部と他方の端部とがなす距離の差は、１ミリメートル以上である着物固定クリップである。
<実施形態５：構成>
【００４８】
本実施形態の着物固定クリップは、１本の線状部材を中空きの渦巻き形状に形成した着物固定クリップであって、内側部分と、外側部分とを有する。以下、本実施形態において述べる点を除き、実施形態１から４において説明したところと同様である。
【００４９】
本実施形態の着物固定クリップについて、再び図４を用いて説明する。「理論的な最短距離」は、実施形態１において説明した両端部の理論的に実現可能な最短距離βをいう。「実際に一方の端部と他方の端部とがなす距離」は、実際のクリップの両端部間の距離であり、図４において示した距離αをいう。本実施形態の着物固定クリップにおいて、「前記理論的な最短距離と、実際に一方の端部と他方の端部とがなす距離の差」すなわち、距離αと距離βとの差は、１ミリメートル以上である。
【００５０】
かかる構成の効果は以下の点にある。紙に使用する一般的なクリップの大きさは様々であるが、最も一般的なものは、挿入方向に直交する方向の幅（横幅）が８ミリメートル程度である。本実施形態のクリップにおいては、後述するようによりしっかりと生地を固定する観点から、より大型のものであることが好ましいが、理論的な最短距離αは８ミリメートル程度以上となることが一般的であるといえる。この場合、本実施形態の着物固定クリップでは、実際の距離βは約９ミリメートル以上となる。経験則上、概ね９ミリメートル程度以上の距離が両端部間にあれば、両端部に生じたしわがつながって１本になりにくく、取り外しが容易である。
<実施形態５：効果>
【００５１】
本実施形態の着物固定クリップにより、脱着時に生地を傷つけにくく、かつ、取り外しが容易な、着物の固定の用途に適した着物固定クリップが実現できる。
<<実施形態６>>
<実施形態６：概要>
【００５２】
本実施形態の着物固定クリップは、実施形態１から５のいずれか一を基本としつつ、前記丸く形成される線状部材の端部は、線状部材を小さな渦巻き状に巻くことで丸く形成された着物固定クリップである。
<実施形態６：構成>
【００５３】
本実施形態の着物固定クリップは、１本の線状部材を中空きの渦巻き形状に形成した着物固定クリップであって、内側部分と、外側部分とを有する。以下、本実施形態において述べる点を除き、実施形態１から５において説明したところと同様である。
【００５４】
本実施形態の着物固定クリップの線状部材の二つの端部は、生地を傷つけないように線状部材を小さな渦巻き状に巻くことで丸く形成される。「小さな」渦巻き状とは、着物固定クリップ全体の形状を形成する大きな中空きの渦巻きに比して小さな渦巻き状であるとの意味である。「渦巻き状」は、渦を巻くように外側から内側にむかって巻くにつれて徐々に中心に近づく形状をいう。１本の線状部材の端部を小さな渦巻き状に巻くことで丸く形成することにより、異なる部材を取り付けることなく、同じ太さの１本の線状部材を用いて、端部が丸く形成された着物固定クリップを得ることができるので、製造が容易である。
<実施形態６：効果>
【００５５】
本実施形態の着物固定クリップにより、脱着時に生地を傷つけにくく、かつ、取り外しが容易な、着物の固定の用途に適した着物固定クリップが実現できる。また、本実施形態の着物固定クリップは、製造が容易である。
<<実施形態７>>
<実施形態７：概要>
【００５６】
本実施形態の着物固定クリップは、実施形態１から６のいずれか一を基本としつつ、さらに、前記丸く形成される線状部材の端部は、生地の重ねあわされた部分が挟まれる可能性がある上方向又は／及び下方向に凸部を有することを特徴とする。
<実施形態７：構成>
【００５７】
本実施形態の着物固定クリップは、１本の線状部材を中空きの渦巻き形状に形成した着物固定クリップであって、内側部分と、外側部分とを有する。以下、本実施形態において述べる点を除き、実施形態１から６において説明したところと同様である。
【００５８】
本実施形態の着物固定クリップを形成する線状部材の端部の形状について、図８ＡからＣを用いて説明する。図８Ａは、本実施形態の着物固定クリップを説明するための図である。また、図８Ｂ及びＣは、端部の一例を部分的に拡大した図である。まず図８Ａを参照する。図８Ａ（ａ）が全体斜視図、（ｂ）が平面図、（ｃ）は平面図において四角い点線で囲まれた端部付近をＡ方向から見た場合の部分断面図、（ｄ）は平面図において四角い点線で囲まれた端部付近をＢ方向から見た場合の部分断面図である。図８Ａ（ａ）のように、本実施形態の着物固定クリップ（０８０１）の線状部材の二つの端部（０８０２、０８０２）は、生地を傷つけないように丸く形成されるが、この丸く形成される線状部材の端部は、生地の重ねあわされた部分が挟まれる可能性がある上方向又は／及び下方向に凸部を有する。「生地の重ねあわされた部分が挟まれる可能性がある上方向又は／及び下方向」とは、取り付け時に内側部分と外側部分とによって挟まれる生地の重ねあわされた部分によって形成される平面（以下、「生地平面」と呼んで説明する。）に対する上方向又は／及び下方向（垂直方向）をいい、図８Ａ（ａ）において０８０３で示した両矢印の方向をいう。「凸部」は、着物固定クリップの全体形状を形成する中空きの渦巻きを形作る線状部材によって形成される平面よりも上方向又は／及び下方向に突き出した部分であり、図８Ａ（ｃ）（ｄ）において上方向及び下方向に突き出した０８０６で示した部分である。図８Ａ（ｃ）（ｄ）に示したように、線状部材（０８０５）の端部（０８０２）が、上方向又は／及び下方向に凸部（０８０６）を有することにより、凸部で生地（０８０４）を強く挟み込むことができ、重ねあわされた生地同士が一層ズレにくくなる。
【００５９】
本実施形態の着物固定クリップを形成する線状部材の端部の形状について、さらに具体的構成を説明する。端部は例えば、球状、半球状、立体的な渦巻き状などによって形成できる。球状の端部については、図３（ａ）において図示している。
【００６０】
立体的な渦巻き状の形状について、以下に例を示す。図８Ｂは、端部の渦巻き形状の一例を説明するための概念図である。（ａ）が平面図、（ｂ）がＡ方向から見た図、（ｃ）がＢ方向から見た図である。この図のように、端部は、外側から内側に向かって渦を巻くにしたがって徐々に生地平面から持ち上げられた渦巻き状であってもよい。この場合は、渦巻き部分がバネのように上方向又は／及び下方向に対して変形可能なので、着物を着て動作を行う際の生地の変形に柔軟に対応でき、生地をしっかりと固定しながらも、無理な力を加えて生地を傷めるおそれが小さい。
【００６１】
立体的な渦巻き状の形状について、以下に他の例を示す。図８Ｃは、端部の渦巻き形状の他の一例を説明するための概念図である。（ａ）が斜視図、（ｂ）が平面図、（ｃ）がＡ方向から見た図、（ｄ）がＢ方向から見た図である。この図のように、端部は、渦巻き状の形状であり、かつ、全体的にはアーチ状となっていてもよい。なお、図８Ｃ（ａ）（ｄ）では、アーチ状であることを分かりやすく図示するために、渦巻き形状によって形成されるアーチ状の仮想曲面も図示している。アーチ状とすることにより、アーチが撓んで上方向又は／及び下方向に対して変形可能なので、着物を着て動作を行う際の生地の変形に柔軟に対応でき、生地をしっかりと固定しながらも、無理な力を加えて生地を傷めるおそれが小さい。なお、線状部材の先端（図８Ｃ（ｂ）（ｄ）において点線で囲まれた部分）は、全体的なアーチ形状の最も突き出した部分付近（図８Ｃ（ａ）（ｄ）において斜線で示した部分）に位置しないように小さな渦巻き形状を形成することが好ましい。アーチ形状の最も突き出した部分付近は、クリップ取り付け時に、生地の重ねあわされた部分に強く接触する可能性があるので、線状部材の先端をこの部分に位置しないようにすることで、線状部材の先端が生地を傷めるおそれを小さくできる。
<実施形態７：効果>
【００６２】
本実施形態の着物固定クリップにより、脱着時に生地を傷つけにくく、かつ、取り外しが容易な、着物の固定の用途に適した着物固定クリップが実現できる。また、凸部で生地を強く挟み込むことができ、重ねあわされた生地同士が一層ズレにくくなる。
<<実施例１>>
【００６３】
本件発明の着物固定クリップの実施例を示す。図９は、本実施例を説明するための概念図であり、（ａ）が斜視図、（ｂ）が平面図、（ｃ）がＡ方向から見た側面図、（ｄ）が線状部材の内側部分の形状を説明するための部分図である。
【００６４】
本実施例の着物固定クリップは、実施形態４に記載の着物固定クリップの構成を有する。図９（ｂ）のように、本実施例の着物固定クリップは、長さ（ｐ）４７ミリメートル程度、幅（ｑ）１２ミリメートル程度の大きさである。この程度の大きさとすることで、着物に取り付けたときに邪魔にならず、かつ、生地をしっかりと挟み込むことができる。また、生地挿入位置の線状部材のうち、内側の渦巻きを形成する線状部材と外側の渦巻きを形成する線状部材との間の距離（ｒ）は、６ミリメートル程度となっている。距離（ｒ）を６ミリメートル程度とすることにより、生地挿入位置から生地を挿入するのが容易であり、かつ、生地をしっかりと挟み込むことができる。また、本実施例の着物固定クリップの線状部材の２つの端部は球状の形状となっている。
【００６５】
また、図９（ａ）のように、本実施例の着物固定クリップは、実施形態３で記載したように、生地挿入位置の線状部材のうち、内側の渦巻きを形成する線状部材は、外側の渦巻きを形成する線状部材によってできる平面から持ち上げられている。具体的には、図９（ｃ）で示された線状部材の内側部分の生地挿入位置からの長さ（ｓ）の部分は、外側の渦巻きを形成する線状部材によってできる平面から図９（ｄ）で示された角度（ｔ）程度持ち上げられている。長さ（ｓ）は０．５ミリメートルから１ミリメートル程度、角度（ｔ）は、０．２度以上である。なお、図９（ｄ）では、線状部材の内側の渦巻き（内側部分）を実線で示し、線状部材の外側の渦巻き（外側部分）は点線で示した。
<<実施形態８>>
<実施形態８：概要>
【００６６】
本実施形態の着物の着付方法は、実施形態１から７の着物固定クリップを使用した着物の着付方法である。
<実施形態８：構成>
【００６７】
図１０を用いて、本実施形態の着物の着付方法について説明する。本実施形態の着物の着付方法は、実施形態１から７のいずれか一に記載の着物固定クリップを準備する準備ステップ（１００１）と、着物の着付けの際に、着物の衿の左右を合わせて衿がＶ字形となるように成形して着物固定クリップで固定するステップ（１００２）と、前記固定したのちに伊達締めをしめるステップ（１００３）と、を含む。
【００６８】
「準備ステップ」（１００１）は、実施形態１から７のいずれか一に記載の着物固定クリップを準備するステップである。本実施形態の着物の着付方法は、衿をＶ字形に成形する際の着物の着付方法である。したがって、肌襦袢等を身に着け、着物に袖を通すなどの動作については、準備ステップ以前に既に済ませた状態である。
【００６９】
「着物の着付けの際に、着物の衿の左右を合わせて衿がＶ字形となるように成形して着物固定クリップで固定するステップ」（１００２）について説明する。着物の衿は、本衿の上にかけ衿が縫い合わされた状態となっている。「着物の衿の左右を合わせる」とは、着物の衿（かけ衿と本衿）とを重ねあわせることをいい、女性の場合には、右側の衿の上に左側の衿を重ね合わせることである。なお、「本衿」とは、着物の首の周りから胸部にかけての細長い布の部分をいう。「かけ衿」とは、着物の衿（本衿）の上に、汚れを防ぐために掛ける衿である。また、「衿がＶ字形となるように成形する」とは、左右の衿を重ね合わせて成形される開口部の形状がＶ字形となるように成形することをいう。成形後、衿の生地の重ね合わされた部分を着物固定クリップで固定する。
【００７０】
「固定したのちに伊達締めをしめるステップ」（１００３）は、着物固定クリップでの固定後に、伊達締めをしめるステップである。「伊達締め」は、着崩れを防止するために帯の下に締める幅１０から１５センチメートル程度の細帯である。なお、通常は、着物固定クリップではなく腰紐等により衿の成形を行うので、伊達締めは腰紐がゆるまないように抑える機能をも有する。しかしながら、本実施形態の着物の着付方法では、衿の成形のために腰紐を締める必要がない。したがって、多数の腰紐によって体を締め付ける必要がなく、着物の着心地が良い。
<実施形態８：効果>
【００７１】
本実施形態の着物の着付方法は、腰紐を用いて衿の成形を行う場合に比べて、着付けが容易であり、かつ着心地が良い。
【図面の簡単な説明】
【００７２】
【図１】実施形態１の着物固定クリップを説明するための概念図
【図２】実施形態１の着物固定クリップの一例を示す図
【図３】実施形態１の着物固定クリップの線状部材の二つの端部の形状の一例を示す図
【図４】線状部材の二つの端部の位置関係を説明するための図
【図５】両端部を、理論的に実現可能な最短距離よりも大きな距離を有するように配置することの効果を説明するための図
【図６】実施形態２の着物固定クリップの一例を示す図
【図７】実施形態３の着物固定クリップの一例を示す図
【図８Ａ】実施形態７の着物固定クリップを説明するための図
【図８Ｂ】実施形態７の着物固定クリップの線状部材の端部の一例を部分的に拡大した図
【図８Ｃ】実施形態７の着物固定クリップの線状部材の端部の他の一例を部分的に拡大した図
【図９】実施例１を説明するための概念図
【図１０】実施形態８の着物の着付方法を説明するための概念図
【符号の説明】
【００７３】
着物固定クリップ  ０１０１、０２０１、０４０１、０５０１、０６０１、０７０１、０８０１
内側部分  ０１０２、０２０２
外側部分  ０１０３、０２０３
生地  ０１０４、０５０３、０５１３、０８０４
取り外しの方向  ０５０４、０５１４
線状部材の端部  ０２０４、０６０４、０８０２
内側端部  ０４０２ａ、０５０２ａ
外側端部  ０４０２ｂ、０５０２ｂ
挟むべき生地の生地端の位置すべき部分  ０４０３、０４１３
挟むべき生地の生地端の位置すべき部分近くの線状部材間にできる中空き部分  ０４０４、０４１４
比較対象のための着物固定クリップ  ０４１１、０５１１
比較対象のための着物固定クリップの端部  ０４１２、０５１２
生地挿入位置  ０６０２、０７０２
基準線  ０６０３
外側の渦巻きを形成する線状部材によってできる平面  ０７０３
生地挿入位置の線状部材のうち、内側の渦巻きを形成する線状部材  ０７０４
生地の重ねあわされた部分が挟まれる可能性がある上方向又は／及び下方向  ０８０３
線状部材  ０８０５
凸部  ０８０６
【図１】
2013036143.tif 000003
【図２】
2013036143.tif 000004
【図３】
2013036143.tif 000005
【図４】
2013036143.tif 000006
【図５】
2013036143.tif 000007
【図６】
2013036143.tif 000008
【図７】
2013036143.tif 000009
【図８Ａ】
2013036143.tif 000010
【図８Ｂ】
2013036143.tif 000011
【図８Ｃ】
2013036143.tif 000012
【図９】
2013036143.tif 000013
【図１０】
2013036143.tif 000014